(57)【要約】【課題】  機器前面操作部に備わった押しボタンスイッチの操作性に優れた制御機器を提供する。【解決手段】  樹脂でできた箱型形状のケース１０と、ベースボード２２０、サイドボード２３０、及び表示ボード２１０を少なくとも有し、ケースに収容されるボード組立て体２０を備えた制御機器のベースボードがケースの開口部側に固定されるとともに、ケースの機器前面操作部にはこれを切り欠いた梁状のスイッチ押圧片１１５が形成され、これに対応する表示ボード上に押しボタンスイッチ２１５が実装され、スイッチ押圧片のスイッチ押圧面と押しボタンスイッチの端面間がボード前面操作部のスイッチ押圧片における内反り量と、スイッチ押圧片と押しボタンスイッチとの間でスイッチ動作上予め必要とされる間隔とを合わせた間隔で規定されている。【選択図】  図３
2006139931.tif 000002
【特許請求の範囲】
【請求項１】
樹脂でできた箱型形状を有し、一方の端部が機器前面操作部をなしかつ他方の端部がボード組立て体収容用開口部をなしたケースと、
前記ケースに収容されるボード組立て体であって、前記ケースのボード組立て体収容用開口部側に収容されるベースボードと、前記ベースボードに立設したサイドボードと、当該サイドボードに垂直に取付けられかつ前記ベースボードと対向するように配置されて前記ケースの前面操作部側に収容される表示ボードを少なくとも備えたボード組立て体とを有した制御機器であって、
前記ボード組立て体のベースボードが前記ケースのボード組立て体収容用開口部側に固定されるとともに、
前記ケースの機器前面操作部には当該前面操作部を切り欠いて形成された梁状の押しボタンスイッチ押圧片が備わり、かつ当該押しボタンスイッチ押圧片に対応するボード組立て体の表示ボード上に押しボタンスイッチが実装され、
前記ボード組立て体が前記ケース内に収容された状態で前記押しボタンスイッチ押圧片のスイッチ押圧面と前記表示ボード上の押しボタンスイッチの端面との間隔が、前記機器前面操作部の押しボタンスイッチ押圧片における内反り量と、前記押しボタンスイッチ押圧片と押しボタンスイッチとの間でスイッチ動作上予め必要とされる間隔とを合わせた間隔をなすように規定されていることを特徴とする制御機器。
【請求項２】
箱型形状を有し、一方の端部が機器前面操作部をなしたケースと、
前記ケース内部の機器前面操作部側に収容配置された表示ボードを備えた制御機器であって、
前記ケースの機器前面操作部には当該機器前面操作部を切り欠いて形成された切欠き部と当該切欠き部によって囲まれた片持ち梁状の押しボタンスイッチ押圧片が備わるとともに、
前記ケースの機器前面操作部には少なくとも前記押しボタンスイッチ押圧片と切欠き部とで形成されるスイッチ動作用領域に操作者の押圧力によって変形可能な化粧シートが貼り付けられるとともに、当該化粧シートの前記スイッチ動作用領域に対応する部分にはスイッチ操作指示部が表示され、
前記スイッチ動作用領域の中心位置が前記スイッチ操作指示部の中心位置と一致していることを特徴とする制御用機器。
【発明の詳細な説明】
【技術分野】
【０００１】
本発明は、例えば燃焼炉や食品加工殺菌設備などの制御対象物を制御するのに使用される制御機器に関する。
【背景技術】
【０００２】
例えば燃焼炉や食品加工殺菌設備などの制御対象物を制御するのに小型の制御機器が広く用いられている（例えば、特許文献１参照）。
【０００３】
かかる制御機器５は、図７に部分的に示すように、樹脂でできた奥行きの浅い箱型のケース５１０と、当該ケース５１０の前面操作部裏側に収容配置される表示ボード５２０と、表示ボード５２０と一定距離離間して対向配置され、フラットケーブル５３０などを介して電気的に接続された本体ボード５４０等を有している。
【０００４】
また、この制御機器５の他の形態としては、図８に部分的に示す制御機器６のように、樹脂でできた奥行きの浅い箱型のケース６１０と、当該ケース６１０の前面操作部裏側に収容配置される表示ボード６２０と、ケース後面の開口部にかぶせられ樹脂でできたベース部６９０と、ベース部裏面に一定距離離間して固定配置され、表示ボード６２０とフラットケーブル６３０等を介して電気的に接続された本体ボード６４０等を有している。
【０００５】
また、これらの表示ボード５２０，６２０はそれぞれケース５１０，６１０の前面操作部裏側にネジなどの締結具やスナップフィットと呼ばれるラッチ係合を介して当該ケース前面操作部裏側と一定距離離間するように固定されている。
【０００６】
そして、上述したいずれの制御機器５，６の表示ボード５２０，６２０にもケース５１０，６１０の前面操作部側に押しボタンスイッチ５２５，６２５が設けられ、ケース５１０，６１０の前面操作部には押しボタンスイッチ５２５，６２５に対応する位置にケース５１０，６１０の一部が片持ち梁状のスイッチ押圧片５１５，６１５を形成するようにケース操作部前面から見て角形Ｃ字型の切欠き部５１６，６１６が形成されている。なお、スイッチ押圧片５１５，６１５と押しボタンスイッチ５２５，６２５は、通常は例えば０ｍｍ〜０．１ｍｍ程度の一定の間隔を隔てて対向配置するように設計上規定されている。そして、ケース５１０，６１０の前面操作部には制御機器５，６の操作部や表示部に必要不可欠なマーキングが適所になされた樹脂製の化粧シート５５０，６５０が貼り付けられている。
【０００７】
そして、制御機器５，６の操作者は、スイッチ押圧片５１５，６１５の自由端部側、すなわち押しボタンスイッチ５２５，６２５と対応する位置にマーキングされたスイッチ操作指示部５５５，６５５を指で押すことによって、スイッチ押圧片５１５，６１５を撓ませ、押しボタンスイッチ５２５，６２５のオン・オフを行うようになっている。
【特許文献１】特開２００３−４４２０８号（３−５頁、図１）
【特許文献２】特開２０００−３１５５５０号（３−５頁、図１）
【発明の開示】
【発明が解決しようとする課題】
【０００８】
このような箱型の形状を有する制御機器５，６のケース５１０，６１０は樹脂でできているので、このケース５１０，６１０を成型する際にケース前面操作部がケース内部側に向かって反るいわゆる内反りという現象が生じやすい。しかしながら、表示ボード５２０，６２０はケース前面操作部に上述の通りネジなどの締結を介してしっかりと固定されているので、ケース前面操作部が内反りしたとしても、これにならって表示ボード５２０，６２０も反る。その結果、表示ボード５２０，６２０に実装された押しボタンスイッチ５２５，６２５の端面とケース前面操作部のスイッチ押圧片５１５，６１５との間が上述したような設計通りの間隔を保つようになり、押しボタンスイッチ５２５，６２５を押していないにもかかわらず押しボタンスイッチ５２５，６２５が押されたままとなるような不都合は生じない。
【０００９】
一方、近年の制御機器の高機能化に伴い、多数の電子部品や電気部品が制御機器内に収容されるようになり、これに伴って制御機器内に収容されるボードも表示ボードやベースボードに加えてサイドボードやリレーボードなどの多数のボードが収容されるようになっている。また、このような制御機器の高機能化に伴い、この制御機器が接続される端子台との間の端子数も大幅に増加している。
【００１０】
また、これらの多数のボードを収容するために、ケース自体も従来のケースとは異なり奥行きの深いケースとなっている。そのため、ケース前面操作部裏側に従来のように表示ボードをネジ止めする作業が困難となる。また、表示ボードをケース前面操作部裏側にネジ止めしたとしても、その後のリレーボード等のコネクタ差し込み作業が行いにくく、かつ端子台に制御機器を取付ける際に生じる大きな端子挿入力が表示ボード等に直接作用しないようにする工夫が必要とされる。
【００１１】
そのため、ここでは図示しないが例えばベースボードにサイドボードやリレーボードを立設するとともに、サイドボードに垂直かつベースボードと対向するように表示ボードを固定し、これらを予めボード組立て体として組み付け、このボード組立て体をケースの後端開口部からケース内に挿入し、ベースボードとケースの後端開口部との間をネジ止めするとともに、リレーボードの先端をケースの前面開口部裏側に付き当てて制御機器を組み付ける構造が考えられる。制御機器がこのような構造をとることによって、表示ボードの取付け性が向上するとともに制御機器を端子台に取付けたり取り外したりする作業も行いやすくなる。
【００１２】
しかしながら、制御機器がこのような構造をとった場合、図９に示すように、樹脂でできたケース７１０の前面操作部に成形時における上述した内反りが生じると、表示ボード７２０がケース７１０に固定されていないため、表示ボード７２０はケースにならって反ることはなく、その結果、ケース前面操作部のスイッチ押圧片７１５が表示ボード７２０の押しボタンスイッチ７２５を押したままとなり、押しボタンスイッチ７２５のオン・オフを適切に行えなくなる。
【００１３】
一方、ケースの前面操作部に貼られた化粧シート７５０のスイッチ操作指示部７５５は、その中心部が片持ち梁状のスイッチ押圧片７１５の自由端部近傍にある最大変位量発生位置（図９に示した片持ち梁状のスイッチ押圧片７１５の厚肉部分）に対応して化粧シート７５０にマーキングされている。
【００１４】
しかしながら、スイッチ操作指示部７５５がこのような位置にマーキングされていると、スイッチ押圧片７１５とその周辺の切欠き部で構成される化粧シート変位領域の一方の中心部から一方の端部側すなわちスイッチ押圧片７１５の自由端部側にずれてスイッチ操作指示部７５５の中心部が位置することになり、このような位置を操作者が指で押しても実際にはスイッチ押圧片７１５を充分に撓ませる程度に化粧シート７５０が変形しない。そのためスイッチ操作指示部７５５を押しても押しボタンスイッチ７２５が作動しないような不都合が生じる場合がある。
【００１５】
本発明の目的は、機器前面操作部に備わった押しボタンスイッチの操作性に優れた制御機器を提供することにある。
【課題を解決するための手段】
【００１６】
上述した課題を解決するために、本発明にかかる制御機器は、
樹脂でできた箱型形状を有し、一方の端部が機器前面操作部をなしかつ他方の端部がボード組立て体収容用開口部をなしたケースと、
前記ケースに収容されるボード組立て体であって、前記ケースのボード組立て体収容用開口部側に収容されるベースボードと、前記ベースボードに立設したサイドボードと、当該サイドボードに垂直に取付けられかつ前記ベースボードと対向するように配置されて前記ケースの前面操作部側に収容される表示ボードを少なくとも備えたボード組立て体とを有した制御機器であって、
前記ボード組立て体のベースボードが前記ケースのボード組立て体収容用開口部側に固定されるとともに、
前記ケースの機器前面操作部には当該前面操作部を切り欠いて形成された梁状の押しボタンスイッチ押圧片が備わり、かつ当該押しボタンスイッチ押圧片に対応するボード組立て体の表示ボード上に押しボタンスイッチが実装され、
前記ボード組立て体が前記ケース内に収容された状態で前記押しボタンスイッチ押圧片のスイッチ押圧面と前記表示ボード上の押しボタンスイッチの端面との間隔が、前記機器前面操作部の押しボタンスイッチ押圧片における内反り量と、前記押しボタンスイッチ押圧片と押しボタンスイッチとの間でスイッチ動作上予め必要とされる間隔とを合わせた間隔をなすように規定されていることを特徴としている。
【００１７】
このようにボード組立て体を構成してケース内にボード組立て体を収容し、かつボード組立て体のベースボードをケースの開口部に固定するようにしたので、ケースの奥行きが深くても、ケースの前面操作部裏側に表示ボードを直接取付ける必要がなくなり、制御機器の組み付け作業性が向上する。
【００１８】
また、押しボタンスイッチ押圧片と押しボタンスイッチとの間を上述のような間隔で保つように設計上規定したので、樹脂でできたケースを成型する際にケースの前面操作部にいわゆる内反りが生じても、ボード組立て体をケースに収容した際に押しボタンスイッチが押されたままとなるようなことはない。
【００１９】
また、本発明の請求項２に記載の制御機器は、
箱型形状を有し、一方の端部が機器前面操作部をなしたケースと、
前記ケース内部の機器前面操作部側に収容配置された表示ボードを備えた制御機器であって、
前記ケースの機器前面操作部には当該機器前面操作部を切り欠いて形成された切欠き部と当該切欠き部によって囲まれた片持ち梁状の押しボタンスイッチ押圧片が備わるとともに、
前記ケースの機器前面操作部には少なくとも前記押しボタンスイッチ押圧片と切欠き部とで形成されるスイッチ動作用領域に操作者の押圧力によって変形可能な化粧シートが貼り付けられるとともに、当該化粧シートの前記スイッチ動作用領域に対応する部分にはスイッチ操作指示部が表示され、
前記スイッチ動作用領域の中心位置が前記スイッチ操作指示部の中心位置と一致していることを特徴としている。
【００２０】
化粧シートのスイッチ操作指示部の中央部が押しボタンスイッチ押圧片と切欠き部とで形成されるスイッチ動作用領域の中央部に一致するようにしたので、操作者が化粧シートのスイッチ操作指示部を押した際に、化粧シートのスイッチ操作指示部が充分に変形し、これに伴って片持ち梁状のスイッチ押圧片をも充分に撓ませることができ、押しボタンスイッチを確実にオン・オフさせることが可能となる。
【発明の効果】
【００２１】
本発明によると、機器前面操作部に備わった押しボタンスイッチの操作性に優れた制御機器を提供することができる。
【発明を実施するための最良の形態】
【００２２】
以下、本発明の一実施形態にかかる制御機器について図面に基づいて説明する。本発明の一実施形態にかかる制御機器１は、化粧シートを除いて示した図１、ケースの機器前面操作部を示した図２、及び機器長手方向断面で示した図３から分かるように、樹脂でできた奥行きのある箱型形状を有するケース１０と、当該ケース１０に収容されかつベースボード２２０、サイドボード２３０、リレーボード２４０、及び表示ボード２１０を備えたボード組立て体２０を備えている。なお、ケース１０の一端側はケース前面操作部（機器前面操作部）１１を構成し、他端側はボード組立て体２０を挿入するとともにボード組立て体２０をケース内部に収容した後、ボード組立て体２０の端子２４１を端子台４０に嵌合するケース後端開口部（ボード組立て体収容用開口部）１２を構成している。
【００２３】
ケース前面操作部１１は、ケース内部に収容された表示ボード上の後述する押しボタンスイッチ２１５を操作したり、表示ボード上に実装されたＬＥＤ表示素子２１６の表示光を透過させて外部から認識可能なようになっている。また、ケース前面操作部１１には樹脂でできた厚さの薄い化粧シート１３が貼り付けられている（図２参照）。
【００２４】
化粧シート１３には制御機器１の機能上必要な表示部が適所に表示（マーキング）されている。具体的には、図２に示すように、制御機器１の機能上必要な動作モードを表す動作モード表示部１３１，１３２や制御機器１の特定の機能を作動させるための押しボタンスイッチ２１５の押圧位置を表示したスイッチ操作指示部１３５が表示されている。
【００２５】
また、ケース前面操作部１１には、図４に示すように一対の角型Ｃ字状をなす切欠き部１１６が形成され、この切欠き部１１６によって囲まれる部分が片持ち張り状の押しボタンスイッチ押圧片１１５（以下、「スイッチ押圧片１１５」とする）を構成している。なお、スイッチ押圧片１１５は操作者の指によって撓みやすいようにその長手方向中央部から自由端部側が平面視で正方形に形成されている。
【００２６】
また、切欠き部１１６とスイッチ押圧片１１５とで構成されるスイッチ動作用領域であって化粧シート１３によって覆われた平面視長方形の領域が操作者の指で押されることによって制御機器内部側に変形するシート変位領域１３６を形成している。そして、化粧シート上に正方形状にマーキングされたスイッチ操作指示部１３５の中央部がこの長方形のシート変位領域１３６の中央部分と一致するようになっている。すなわち、片持ち梁状のスイッチ押圧片１１５の自由端部に近い正方形をなす最大撓み領域の中心部と化粧シート１３のスイッチ操作指示部１３５の中心部とは一致せず、スイッチ押圧片１１５の最大撓み領域の中心部が化粧シート１３のスイッチ操作指示部１３５の中心部よりスイッチ押圧片１１５の自由端側に一定量偏倚している（図４及び図６における偏倚量Ｘ参照）。
【００２７】
また、ケース１０の後端開口部近傍には、ベースボード２２０をケース１０にネジ止め固定するための固定孔（図示せず）が形成されている。また、ケース前面操作部裏側であってケース１０の幅方向中央部には、図３に示すように前面操作部上下に亘ってボード組立て体２０のリレーボードの端部が当接するリレーボード付き当て部１１７が形成されている。また、ケース前面操作部裏側であってこの四隅にはボード組立て体収容時に表示ボード２１０の四隅を付き当てるリブ状の表示ボード付き当て部１１８が形成されている。
【００２８】
続いて、ボード組立て体２０について説明する。ボード組立て体２０は、上述したように、制御機器１のケース後端開口部側に収容されるベースボード２２０と、ベースボード２２０の中央部から一定間隔隔てて立設した２枚のリレーボード２４０と、ベースボード２２０の機器幅方向一方の端部に固定されかつベースボード２２０に対して立設したサイドボード２３０と、サイドボード２３０に垂直かつベースボード２２０と対向するように固定された表示ボード２１０とを備えている。
【００２９】
なお、表示ボード２１０の略中央部にはリレーボード２４０の先端部をある程度の遊びを持って貫通させる貫通孔２１９が形成されている。
【００３０】
また、ベースボード２２０には例えばスイッチング電源などの電気部品や電子部品が実装され、リレーボード２４０には例えばリレーなどの電気部品や電子部品が実装され、ベースボード２２０とリレーボード２４０とはリード線２４２によって接続されている。
【００３１】
また、サイドボード２３０には例えばコンデンサなどの電子部品や電気部品が実装され、表示ボード２１０には制御機器操作用の押しボタンスイッチ２１５や制御機器動作モード表示用や動作内容表示用のＬＥＤ表示素子２１６が実装されている。
【００３２】
なお、各リレーボード２４０の基端側には、端子コネクタ２４９が接続され、この端子コネクタ２４９の端子２４１がベースボード２２０及びベースボード裏面に取付けられる後面カバー３０を貫通して、制御機器後端面から突出するようになっている。
【００３３】
また、ボード組立て体２０を制御機器１のケース内に収容した際の位置関係は、ボード組立て体２０のベースボード２２０をケース後端開口部１２の固定孔にネジ止め固定すると、リレーボード２４０の先端部がケース前面操作部裏側のリレーボード付き当て部１１７に突き当たるとともに、表示ボード２１０の四隅がケース前面操作部裏側の表示ボード付き当て部１１８に付き当てるような関係になっている。また、表示ボード２１０とリレーボード２４０とはある程度の遊びをもっていて互いに干渉しないようになっている。
【００３４】
また、表示ボード２１０とケース前面操作部１１との設計寸法上の位置関係は、図５に示すように、ボード組立て体２０がケース内に収容された状態でスイッチ押圧片１１５のスイッチ押圧面と表示ボード上の押しボタンスイッチ２１５の端面との間隔が、ケース前面操作部のスイッチ押圧片１１５におけるケース成型時に生じる内反り量と、スイッチ押圧片１１５と押しボタンスイッチ２１５との間でスイッチ動作上予め必要とされる間隔を合わせた間隔をなすように規定されている。
【００３５】
具体的には、一例としてスイッチ押圧片１１５を囲むケース前面操作部１１の切欠き部１１６が２０ｍｍ×１０ｍｍの長方形寸法を有し、かつ押しボタンスイッチのストロークが０・２５ｍｍの場合、図５に示すように、ケース前面操作部１１のスイッチ押圧片１１５における内反り量０．２５ｍｍとスイッチ押圧片１１５と押しボタンスイッチ２１５との間でスイッチ動作上予め必要とされる間隔０ｍｍ〜０．１ｍｍを足した０．２５ｍｍ〜０．３５ｍｍを、ボード組立て体２０がケース内に収容された状態でのスイッチ押圧片１１５のスイッチ押圧面と表示ボード上の押しボタンスイッチ２１５の端面との間隔として予め設計上規定しておく。
【００３６】
また、制御機器１はさらにケース１０にボード組立て体２０を収容した状態でベースボード２２０の後面に後面カバー３０を取付け可能となっている。そして、ケース１０にボード組立て体２０を収容し、ケース後端開口部１２に後面カバー３０を取付けた状態で後面カバー３０から突出した端子２４１を端子台４０に嵌合するようになっている。
【００３７】
続いて、以上のように構成された制御機器１の組付け方及び組付けた制御機器１の作用について説明する。まず、ボード組立て体２０をケース後端開口部１２から表示ボード２１０を前にしてケース内に収容する。そして、リレーボード２４０の先端をケース前面操作部１１のリレーボード突き当て部１１７に突き当てるとともに、表示ボード２１０の四隅をケース前面操作部の表示ボード付き当て部１１８に当接する。また、ベースボード２２０の四隅をケース後端開口部１２に形成されたボード組立て体取付け用の固定孔（図示せず）に位置合わせし、この四隅をネジ止めにより固定する。
【００３８】
次いで、ケース１０の後面に後面カバー３０をいわゆるスナップフィットと呼ばれるラッチ係合によって嵌め込む。これによって、ボード組立て体２０がケース内に完全に収容されるとともに、リレーボード２４０の端子２４１が後面カバー３０から突出した状態で制御機器１が組付けられる。
【００３９】
次いで、制御機器１から突出した端子２４１を端子台４０に嵌合させる。この嵌合作業にあたっては、リレーボード２４０の先端部がケース前面操作部１１のリレーボード突き当て部１１７に突き当たるとともに、ベースボード２２０の四隅がケース後端開口部１２にネジ止めによって固定されていることに加えて、リレーボード２４０と表示ボード２１０とが相互にある程度の遊びをもった取付け関係にある。従って、制御機器１に端子２４１が多数備わっていて大きな端子嵌合力を必要とする場合であっても、その嵌合力がリレーボード先端部を介してケース前面操作部１１のリレーボード突き当て部１１７に作用するとともに、ベースボード２２０を介してケース後端開口部１２の四隅のベースボード取付け部に作用するが、表示ボード２１０には直接作用しない。そのため、制御機器１の端子台４０への端子嵌合作業が表示ボード上に実装された押しボタンスイッチ２１５とケース前面操作部１１のスイッチ押圧片１１５との間の位置関係に悪影響を与えることはない。
【００４０】
このようにボード組立て体２０を組み立ててケース内にボード組立て体２０を収容し、かつボード組立て体２０のベースボード２２０をケース後端開口部１２に固定するようにしたので、ケース１０の奥行きが深くても、ケース１０の前面操作部裏側に表示ボード２１０を直接取付ける必要がなくなり、制御機器１の組み付け作業性が向上する。
【００４１】
また、スイッチ押圧片１１５と押しボタンスイッチ２１５との間を上述したようにケース前面操作部１１のスイッチ押圧片１１５における内反り量と、スイッチ押圧片１１５と押しボタンスイッチ２１５との間でスイッチ動作上予め必要とされる間隔とを合わせた間隔をなすように予め設計上規定したので、樹脂でできたケース１０を成型する際にケース前面操作部１１にいわゆる内反りが生じても、ボード組立て体２０をケース１０に収容した際に押しボタンスイッチ２１５が押されたままとなるようなことはない。
【００４２】
また、化粧シート１３のスイッチ操作指示部１３５の中央部がスイッチ押圧片１１５と切欠き部１１６とで形成されるシート変位領域１３６の中央部に一致するようにしたので、操作者が化粧シート１３のスイッチ操作指示部１３５を押した際に、このスイッチ操作指示部１３５が充分に変形し、これに伴って片持ち梁状のスイッチ押圧片１１５をも充分に撓ませることができ、押しボタンスイッチ２１５のスイッチ動作を確実に行わせることができる。
【００４３】
以上説明したように、従来の制御機器において、表示ボードがケースに固定されない構造の場合、ケースに内反りが生じても表示ボードはこれに追随しないため、ケース前面操作部と表示ボードとの間隔が保たれなくなり、押しボタンスイッチが押されっぱなしになる問題が生じていたが、本発明による制御機器１は上述した構成をとることで、表示ボード２１０に実装されている押しボタンスイッチ２１５が押されたままとなる不具合を解決できた。
【００４４】
また、従来の制御機器において、ケース前面操作部に形成された切欠き部とスイッチ押圧片とで構成される領域、すなわちケースに貼り付けられた化粧シートのシート変位領域の中心に対して化粧シートのスイッチ操作指示部である図柄の中心がずれていることで、操作者の操作によっても化粧シート１３が十分に変形せずに押しにくい問題が生じていたが、本発明による制御機器１は上述した構成をとることで、このような問題も解決できた。
【産業上の利用可能性】
【００４５】
以上説明した本発明は、樹脂でできた奥行きのあるケースにボード組立て体が収容される場合であって機器前面操作部に形成された梁状のスイッチ押圧片とボード組立て体の表示ボード上に実装された押しボタンスイッチとの間の関係を厳密に管理する必要のあるものや、ケース前面操作部に貼られた化粧シートを押すことで片持ち梁状のスイッチ押圧片を介して押しボタンスイッチを動作させるものであれば、上述した燃焼炉や食品加工殺菌設備などに使用される制御機器に限定されず、広義の意味でのさまざまな制御機器に適用可能である。
【図面の簡単な説明】
【００４６】
【図１】本発明の一実施形態にかかる制御機器の外観を、化粧シートを取り除きかつ端子台に取付けた状態で示した斜視図である。
【図２】図１に示した制御機器の機器前面操作部を示した正面図である。
【図３】図１に示した制御機器の内部構造を断面で示した平面図である。
【図４】図１に示した制御機器の機器前面操作部を、化粧パネルのスイッチ操作指示部のみを二点鎖線で示して化粧パネルを取り除いた状態で示した正面図である。
【図５】機器前面操作部のスイッチ押圧片と表示ボードの押しボタンスイッチとの相互の間隔を示した部分断面図である。
【図６】スイッチ操作指示部、スイッチ押圧片、及び押しボタンスイッチの位置関係を示した正面図（図６（ａ））及び側方断面図（図６（ｂ））である。
【図７】従来の制御機器のケースと表示ボードとの取付け関係の一例を概略的に示した断面図である。
【図８】図７とは別の従来の制御機器のケースと表示ボードとの取付け関係を概略的に示した断面図である。
【図９】表示ボードがケースにネジ止め固定されていない従来の制御機器の不具合点を部分的に拡大して示した断面図である。
【符号の説明】
【００４７】
１    制御機器
１０    ケース
１１    ケース前面操作部
１１５    押しボタンスイッチ押圧片（スイッチ押圧片）
１１６    切欠き部
１１７    リレーボード付き当て部
１１８    表示ボード付き当て部
１２    ケース後端開口部
１３    化粧シート
１３１，１３２    動作モード表示部
１３５    スイッチ操作指示部
１３６    シート変位領域
２０    ボード組立て体
２１０    表示ボード
２１５    押しボタンスイッチ
２１６    ＬＥＤ表示素子
２１９    貫通孔
２２０    ベースボード
２３０    サイドボード
２４０    リレーボード
２４１    端子
２４２    リード線
２４９    端子コネクタ
３０    後面カバー
４０    端子台
５    制御機器
５１０    ケース
５１５    スイッチ押圧片
５１６    切欠き部
５２０    表示ボード
５２５    押しボタンスイッチ
５３０    フラットケーブル
５４０    本体ボード
５５０    化粧シート
５５５    スイッチ操作指示部
６    制御機器
６１０    ケース
６１５    スイッチ押圧片
６１６    切欠き部 
６２０    表示ボード
６２５    押しボタンスイッチ
６３０    フラットケーブル
６４０    本体ボード
６５０    化粧シート
６５５    スイッチ操作指示部
６９０    ベース部
７１０    ケース
７１５    スイッチ押圧片
７２０    表示ボード
７２５    押しボタンスイッチ
７５０    化粧シート
７５５    スイッチ操作指示部
【図１】
2006139931.tif 000003
【図２】
2006139931.tif 000004
【図３】
2006139931.tif 000005
【図４】
2006139931.tif 000006
【図５】
2006139931.tif 000007
【図６】
2006139931.tif 000008
【図７】
2006139931.tif 000009
【図８】
2006139931.tif 000010
【図９】
2006139931.tif 000011